(57)【要約】【課題】緊急警報状態を表す信号を取り込むための端子を設けることなく、テレビ放送信号に起動信号を付加することのできるテレビ放送信号生成装置を提供する。【解決手段】エンコーダ２で生成されるテレビ放送用の放送データ、外部から入力されるデータ放送用の放送データ（ＴＳ信号）、及び、制御部１０で生成されるＥＰＧ等の付加データを多重化部６にて多重化し、ＯＦＤＭ変調器８でＯＦＤＭ変調することで、テレビ放送信号を生成する装置において、データ放送用のＴＳ信号に緊急警報移行トリガーストリーム又は緊急警報解除トリガーストリームが含まれているか否かを監視する監視部１２を設け、監視部１２にて緊急警報移行トリガーストリームが検知されると、制御部１０が、付加データの一つとして端末側受信装置を起動するための起動信号を設定し、緊急警報解除トリガーストリームが検知されると、起動信号の設定を解除する。【選択図】図１
2014150379.tif 000002
【特許請求の範囲】
【請求項１】
映像信号及び音声信号を含むテレビ放送用の信号を符号化するエンコーダと、
外部装置からデータ放送用の放送データを取り込むための外部データ入力部と、
前記エンコーダにて符号化されたテレビ放送用の放送データと、前記データ入力部を介して入力されたデータ放送用の放送データとを多重化し、放送用のＴＳ信号として出力する多重化部と、
前記各放送データに対する付加データを生成し、前記多重化部に出力することで、該付加データを前記各放送データと共に多重化させる制御部と、
前記多重化部から出力されるＴＳ信号をＯＦＤＭ変調してテレビ放送信号を生成するＯＦＤＭ変調器と、
前記外部データ入力部から入力された放送データに、緊急警報移行トリガーストリーム又は緊急警報解除トリガーストリームが含まれているか否かを監視する監視部と、
を備え、前記制御部は、前記監視部にて前記緊急警報移行トリガーストリームが検知されると、前記多重化部に出力する付加データの一つとして、端末側受信装置を自動で起動させるための起動信号をセットし、前記監視部にて前記緊急警報解除トリガーストリームが検知されると、前記起動信号をリセットすることを特徴とするテレビ放送信号生成装置。
【発明の詳細な説明】
【技術分野】
【０００１】
本発明は、緊急警報時に受信装置を自動で起動させるための起動信号を含むテレビ放送信号を生成するのに好適なテレビ放送信号生成装置に関する。
【背景技術】
【０００２】
従来、緊急警報放送（ＥＷＳ：Emergency Warning System）を受信可能な受信装置として、テレビ放送信号に含まれる起動信号を検出して、自動で起動するように構成されたテレビ受信装置が知られている（例えば、特許文献１、２参照）。
【０００３】
この種のテレビ受信装置が設置された施設で、緊急警報放送を含む館内放送を行う場合、テレビ放送信号に付加情報として起動信号を含める必要がある。
具体的には、テレビ受信装置は、テレビ放送信号の中から起動信号としての緊急情報記述子や緊急警報放送用起動フラグを検出すると、自身の制御装置に通知し、テレビ受信装置を自動起動させることから、テレビ放送信号にこうした起動信号を含める必要がある。
【０００４】
一方、このように、テレビ放送信号に起動信号を付与可能なシステムとしては、例えば、全国瞬時警報システム（Ｊアラート）を利用して緊急警報情報を取得し、その旨を表す検知信号を所定の接点から出力するものが利用できる（例えば、非特許文献１参照）。
【０００５】
つまり、非特許文献１に記載のＪ−ＡＬＥＲＴ一体型受信機を利用し、テレビ放送信号生成装置を、この受信機の接点から出力される検知信号の有無を判定するように構成することで、テレビ放送信号に起動信号を付加するか否かを切り換えることができるようになる。
【先行技術文献】
【特許文献】
【０００６】
【特許文献１】特開２０１１−１０１１８１号公報
【特許文献２】特開２０１３−５４０１号公報
【非特許文献】
【０００７】
【非特許文献１】センチュリー・システムズ株式会社、Ｊ−ＡＬＥＲＴ専用小型受信機  ＪＡＲＳ−１０００  製品概要、［online］、［平成２５年１月１６日検索］、インターネット＜URL:http://www.centurysys.co.jp/jalert/＞
【発明の概要】
【発明が解決しようとする課題】
【０００８】
しかしながら、上記のような方法では、テレビ放送信号生成装置に、受信機の接点に接続可能な端子を設け、この端子を介して受信機と接続しなければならない。
本発明は、こうした問題に鑑みなされたものであり、緊急警報状態を表す信号を取り込むための端子を設けることなく、テレビ放送信号に起動信号を付加することのできるテレビ放送信号生成装置を提供することを目的とする。
【課題を解決するための手段】
【０００９】
かかる目的を達成するためになされた本発明のテレビ放送信号生成装置は、
映像信号及び音声信号を含むテレビ放送用の信号を符号化するエンコーダと、
外部装置からデータ放送用の放送データを取り込むための外部データ入力部と、
前記エンコーダにて符号化されたテレビ放送用の放送データと、前記データ入力部を介
して入力されたデータ放送用の放送データとを多重化し、放送用のＴＳ信号として出力する多重化部と、
前記各放送データに対する付加データを生成し、前記多重化部に出力することで、該付加データを前記各放送データと共に多重化させる制御部と、
前記多重化部から出力されるＴＳ信号をＯＦＤＭ変調してテレビ放送信号を生成するＯＦＤＭ変調器と、
前記外部データ入力部から入力された放送データに、緊急警報移行トリガーストリーム又は緊急警報解除トリガーストリームが含まれているか否かを監視する監視部と、
を備え、前記制御部は、前記監視部にて前記緊急警報移行トリガーストリームが検知されると、前記多重化部に出力する付加データの一つとして、端末側受信装置を自動で起動させるための起動信号を設定し、前記監視部にて前記緊急警報解除トリガーストリームが検知されると、前記起動信号の設定を解除することを特徴とする。
【発明の効果】
【００１０】
本発明のテレビ放送信号生成装置においては、エンコーダが、映像信号及び音声信号を含むテレビ放送用の信号を符号化し、多重化部が、そのエンコーダにて符号化されたテレビ放送用の放送データと、データ入力部を介して入力されたデータ放送用の放送データとを多重化し、放送用のＴＳ信号としてＯＦＤＭ変調器に出力する。なお、ＴＳ信号は、周知の「Transport Stream」のことである。
【００１１】
この結果、ＯＦＤＭ変調器にて、テレビ放送及びデータ放送を行うテレビ放送信号が生成されることになる。
また、本発明のテレビ放送信号生成装置には、上記各放送データに対する付加データ（例えばＥＰＧデータ等）を生成し、多重化部に出力することで、この付加データを各放送データと共に多重化させる制御部も設けられている。このため、ＯＦＤＭ変調器では、各種付加データを含むテレビ放送信号を生成できる。
【００１２】
また、本発明のテレビ放送信号生成装置には、外部データ入力部から入力された放送データに、緊急警報移行トリガーストリーム又は緊急警報解除トリガーストリームが含まれているか否かを監視する監視部が設けられている。
【００１３】
そして、制御部は、監視部にて緊急警報移行トリガーストリームが検知されると、多重化部に出力する付加データの一つとして、端末側受信装置を自動で起動させるための起動信号を設定し、前記監視部にて前記緊急警報解除トリガーストリームが検知されると、前記起動信号の設定を解除する。
【００１４】
従って、本発明のテレビ放送信号生成装置によれば、緊急警報状態を表す信号を取り込むための端子を設けることなく、テレビ放送信号に起動信号を付加することができるようになり、延いては、装置構成を簡単にすることができる。
【図面の簡単な説明】
【００１５】
【図１】実施形態のテレビ放送信号生成装置の構成を表すブロック図である。
【図２】制御部にて実行される緊急警報状態監視処理を表すフローチャートである。
【発明を実施するための形態】
【００１６】
以下に本発明の実施形態を図面と共に説明する。
図１に示すように、本実施形態のテレビ放送信号生成装置は、エンコーダ２、外部ＴＳ入力部４、多重化部６、ＯＦＤＭ変調器８、制御部１０、及び監視部１２を備える。
【００１７】
エンコーダ２は、映像信号及び音声信号を含むアナログ信号を符号化してテレビ放送用
の放送データ（ＴＳ信号）を生成するものであり、外部ＴＳ入力部４は、外部装置からデータ放送用の放送データであるＴＳ信号を取り込むためのものである。
【００１８】
なお、エンコーダ２は、映像、音声を含むデジタル信号からテレビ放送用の放送データ（ＴＳ信号）を生成するものであってもよい。
そして、多重化部６は、エンコーダ２にて符号化されたテレビ放送用の放送データと、外部ＴＳ入力部４を介して入力されたデータ放送用のＴＳ信号とを多重化し、放送用のＴＳ信号としてＯＦＤＭ変調器８に出力する。
【００１９】
また、ＯＦＤＭ変調器８は、多重化部６から出力されるＴＳ信号をＯＦＤＭ変調することで、テレビ放送信号を生成し、外部に出力する。
次に、制御部１０は、ＣＰＵ、ＲＯＭ、ＲＡＭ等を中心とするマイクロコンピュータ（マイコン）にて構成されており、外部から入力されるＥＰＧ（Electronic Program Guide）等の付加情報をデータ処理し、多重化部６に出力することで、多重化部６に対し、データ処理した付加データを上記各放送データと共に多重化させる。
【００２０】
また、監視部１２は、外部ＴＳ入力部４から入力されたデータ放送用の放送データに、緊急警報移行トリガーストリーム又は緊急警報解除トリガーストリームが含まれているか否かを監視するためのものである。
【００２１】
なお、監視部１２は、緊急警報移行トリガーストリーム、緊急警報解除トリガーストリーム等、テレビ放送に含める必要のない制御情報をＴＳ信号から除去する、フィルタ機能も備えている。
【００２２】
ここで、緊急警報移行トリガーストリームは、データ放送用のＴＳ信号を生成する外部装置にて、Ｊ−ＡＬＥＲＴ等から緊急警報情報が取得されたとき（換言すれば緊急警戒状態となったとき）に、放送データ（ＴＳ信号）に付与されるストリームである。また、緊急警報解除トリガーストリームは、外部装置にて、緊急警戒状態が解除されたときに放送データ（ＴＳ信号）に付与されるストリームである。
【００２３】
そして、監視部１２による緊急警報移行トリガーストリーム及び緊急警報解除トリガーストリームの監視結果は、制御部１０に入力され、制御部１０は、その入力された監視結果に基づき、付加データの一つとして、起動信号（詳しくは、緊急警報放送用起動フラグ、緊急情報記述子）を設定する。
【００２４】
次に、制御部１０において、監視部１２の監視結果に基づき起動信号を設定するために実行される緊急警報状態監視処理について説明する。
なお、この緊急警報状態監視処理は、制御部１０において、メインルーチンの一つとして繰り返し実行される。
【００２５】
また、制御部１０が起動された直後の初期状態では、後述の緊急警報放送用起動フラグはリセット状態であり、緊急情報記述子は設定されていないものとする。
図２に示すように、緊急警報状態監視処理では、まずＳ１１０（Ｓはステップを表す）にて、監視部１２で緊急警報移行トリガーストリームが検知されたか否かを判断することにより、監視部１２で緊急警報移行トリガーストリームが検知されるのを待つ。
【００２６】
そして、監視部１２で緊急警報移行トリガーストリームが検知されると、Ｓ１２０に移行して、付加データとしての緊急警報放送用起動フラグをセットし、続くＳ１３０にて、緊急情報記述子を設定する。
【００２７】
この結果、多重化部６で生成される放送用のＴＳ信号には、これらの起動信号が付与され、端末側の受信装置は、これらの起動信号に基づき自動で起動し、緊急警報放送を受信できるようになる。
【００２８】
次に、Ｓ１４０では、監視部１２で緊急警報解除トリガーストリームが検知されたか否かを判断することにより、監視部１２で緊急警報解除トリガーストリームが検知されるのを待つ。
【００２９】
そして、監視部１２で緊急警報解除トリガーストリームが検知されると、Ｓ１５０に移行して、付加データとしての緊急警報放送用起動フラグをリセットし、Ｓ１６０にて、緊急情報記述子の設定を解除した後、Ｓ１１０に移行する。
【００３０】
このように、本実施形態のテレビ放送信号生成装置においては、外部装置から入力されるデータ放送用のＴＳ信号に緊急警報移行トリガーストリーム又は緊急警報解除トリガーストリームが含まれているか否かを監視する監視部１２が設けられており、監視部１２にて緊急警報移行トリガーストリームが検知されると、制御部１０が、多重化部６に出力する付加データの一つとして、緊急警報放送用起動フラグをセットし、緊急情報記述子を設定する。
【００３１】
また、監視部１２にて緊急警報解除トリガーストリームが検知されると、制御部１０が、緊急警報放送用起動フラグをリセットし、緊急情報記述子の設定を解除する。
従って、本実施形態のテレビ放送信号生成装置によれば、緊急警報状態を表す信号を取り込むための端子を設けることなく、テレビ放送信号に、起動信号としての緊急警報放送用起動フラグ及び緊急情報記述子を付加することができるようになり、延いては、装置構成を簡単にすることができる。
【００３２】
また、本実施形態のテレビ放送信号生成装置を利用して、テレビ放送信号に起動信号（緊急警報放送用起動フラグ、緊急情報記述子等）を付加させるには、データ放送用の放送データ（ＴＳ信号）を生成する装置側で、生成した放送データ（ＴＳ信号）に、適宜、緊急警報移行トリガーストリーム、又は、緊急警報解除トリガーストリームを重畳（換言すれば多重化）すればよい。
【００３３】
従って、本実施形態のテレビ放送信号生成装置を利用すれば、緊急警報放送を実行可能な放送システムを容易に構築することができる。
以上、本発明の一実施形態について説明したが、本発明は上記実施形態に限定されるものではなく、本発明の要旨を逸脱しない範囲内にて種々の態様をとることができる。
【符号の説明】
【００３４】
２…エンコーダ、４…外部ＴＳ入力部、６…多重化部、８…ＯＦＤＭ変調器、１０…制御部、１２…監視部。
【図１】
2014150379.tif 000003
【図２】
2014150379.tif 000004